(57)【要約】【課題】移動時に転倒のおそれもなく安定状態で移動でき、荷重も十分に支承でき、全体重量も特に大幅に増加することなくキャスターの出し入れの取扱いも容易で、主脚を傾斜させることで接地する車輪を備えた既存の作業台にも簡単に実施でき、使い勝手のよい可搬式作業台の移動装置を得る。【解決手段】梯子状の主脚間に長方形状の天板を掛け渡した可搬式作業台の移動装置であって、前記主脚１へ取付部１３を着脱自在に取付け、この取付部１３の上部に操作レバー１４の一端を、下部にキャスター取付板１５の一端をそれぞれ上下に回動自在に取付け、前記操作レバー１４と、下部にキャスター２１を取付けたキャスター取付板１５とを連結アーム２３で連結するとともにキャスター取付板１５を上方に回動するように付勢する圧縮コイルバネ２０を前記取付部１３とキャスター取付板１５との間に弾装した。【選択図】        図１
2010270437.tif 000002
【特許請求の範囲】
【請求項１】
梯子状の主脚間に長方形状の天板を掛け渡した可搬式作業台の移動装置であって、前記主脚へ取付部を着脱自在に取付け、この取付部の上部に操作レバーの一端を、下部にキャスター取付板の一端をそれぞれ上下に回動自在に取付け、前記操作レバーと、下部にキャスターを取付けたキャスター取付板とを連結アームで連結するとともにキャスター取付板を上方に回動するように付勢する圧縮コイルバネを前記取付部とキャスター取付板との間に弾装したことを特徴とする可搬式作業台の移動装置。
【請求項２】
キャスター取付板に装着されたキャスターは、操作レバーの下方への回動で主脚よりも下方の接地位置に移動する請求項１記載の可搬式作業台の移動装置。
【請求項３】
キャスターを接地位置で係止するストッパーを操作レバーに形成した請求項１または請求項２に記載の可搬式作業台の移動装置。
【発明の詳細な説明】
【技術分野】
【０００１】
本発明は、建設工事現場、建築物の天井や壁面などの内外装作業、電気配線工事等で使用する可搬式作業台の移動装置に関するものである。
【背景技術】
【０００２】
可搬式作業台には、作業台を組み立てたままの状態でも、また、折り畳んだ状態でも台車などを不要とし、一人でも容易に移動でき、運搬の作業性を向上できるものとして、例えば特許文献１に示すものがある。
【０００３】
これは、図６に示すように上部に手摺支柱４を延設した一対の主脚１間に複数の踏桟２を適宜間隔で取付けて梯子枠３を形成し、この梯子枠３の一対を対向させ上端を相互に回動自在に軸着し、主脚１間の上部位置で梯子枠３間に踏板ユニット６を折り畳み自在に掛け渡し、手摺支柱４の上部に、一対の梯子枠３のそれぞれの外方に向けて突出する手摺枠８、９を折り畳み自在に取付けたものにおいて、前記主脚１の下部に移動用の車輪１０を取付けたものである。
【０００４】
そして、車輪１０を使用して作業台を移動するには、一方の梯子枠３の下部を持ち上げて作業台全体を傾斜させ、他方の梯子枠３に取付けてある車輪１０を接地させて移動する。
【０００５】
ところで、広い作業スペースを確保するために、図７に示すように前記のような脚立形状の作業台１１の少なくとも一対を用意し、この一対の作業台１１の上部にそれぞれ配置される踏板ユニット６間に連結板１２を着脱自在に掛け渡すものがある（例えば特許文献２参照）。
【０００６】
さらに図示は省略するが、前記のように一対の作業台１１間に連結板１２を掛け渡したものを間隔をおいて平行に配置し、この間に連結板１２と直行方向に別の天板を連結してさらに広いステージを形成する場合もある。
【０００７】
このような作業台１１と連結板１２との組み合わせで構成する可搬式作業台は、作業現場で連結されて組み立てられ（ステージ組み）る。そして、作業終了後に隣接工区に移動させるには、作業台１１と連結板１２との連結を外し、両者をばらしたうえで作業台１１については一方の主脚１を持ち上げ、他方の主脚１に取付けてある車輪１０を接地させた状態で一台ずつ移動するか、あるいは全体を折り畳み、台車を使用して連結板１２とともに運搬している。
【０００８】
作業現場において、例えば隣接工区に移動する場合などは、移動距離が短く、また、隣接工区では直ちに再度使用するにもかかわらず、現在の作業工区で作業台を一旦折畳み、隣接工区に運搬後、ここで再度組立てるという行程を要して作業性がよくない。
【０００９】
そこで、一方の主脚を持ち上げずにそのまま隣接工区に作業台を移動できる車輪１０を取付けたものがある（例えば特許文献３参照）。
【００１０】
これは、主脚の最下段の踏み桟を支承する下部踏み桟受けと、上方の踏み桟を支承する上部踏み桟受けとを縦フレームの上下にそれぞれ設け、前記縦フレームに主脚の最下端よりも下方に突出する移動車輪を設けたものであり、かかる移動装置を踏み桟に取付ける。
【００１１】
そして、前記縦フレームは、下部踏み桟受けと上部踏み桟受けとの距離を調整可能なよう二重管構造として伸縮自在に形成されている。
【特許文献１】特開２００５−２７３３０４号公報
【特許文献２】特開２００２−１８８２８４号公報
【特許文献３】特許第３９９３８４２号
【発明の開示】
【発明が解決しようとする課題】
【００１２】
前記特許文献３に開示の移動装置は、踏み桟に取付けるものであるため、移動装置の車輪および踏み桟を介して荷重を支えることになり、強度的に十分とはいえない。
【００１３】
また、末広がり状に開いた主脚の内側に移動装置が配設されため、車輪の接地位置、すなわち荷重を支える点が主脚の位置より中に入ることとなり、作業台の転倒角が小さくなって不安定である。
【００１４】
さらに、作業台の側には主脚の下部に延長用の伸縮脚が伸縮自在に取付けられて二重管構造の伸縮機構があるが、移動装置にも二重管構造による伸縮機構が備えられているため、全体として重量も大きくなり、また、伸縮操作にも作業台側と移動装置側との両方を必要とし手間を要して取扱いが容易ではない。
【００１５】
本発明は、前記従来例の不都合を解消するものとして、移動時に転倒のおそれもなく安定状態で移動でき、荷重も十分に支承でき、全体重量も特に大幅に増加することなくキャスターの出し入れの取扱いも容易で、主脚を傾斜させることで接地する車輪を備えた既存の作業台にも簡単に実施でき、使い勝手のよい可搬式作業台の移動装置を提供するものである。
【課題を解決するための手段】
【００１６】
請求項１記載の本発明は、梯子状の主脚間に長方形状の天板を掛け渡した可搬式作業台の移動装置であって、前記主脚へ取付部を着脱自在に取り付け、この取付部の上部に操作レバーの一端を、下部にキャスター取付板の一端をそれぞれ上下に回動自在に取り付け、前記操作レバーと、下部にキャスターを取付けたキャスター取付板とを連結アームで連結するとともにキャスター取付板を上方に回動するように付勢する圧縮コイルバネを前記取付部とキャスター取付板との間に弾装したことを要旨とするものである。
【００１７】
請求項１記載の本発明によれば、必要時にのみ取付部により移動装置を主脚に取付けることができるから、不使用時に移動装置が邪魔にならず、使用態様に応じた使い勝手を向上できる。使用時には、主脚に取付けて、操作レバーを圧縮コイルバネの弾力に抗して回動するだけの操作でキャスターを接地でき、接地面から主脚を浮かせることができるから、梯子状の主脚から天板を外すなどの手間を要せずに組み立てたままの状態で可搬式作業台を移動できる。
【００１８】
また、移動装置は必要最小限の部材で主脚に直接取付けられるから、キャスターにかかる荷重を主脚に直接伝達でき、強度的にも十分なものが確保できる。
【００１９】
請求項２記載の本発明は、キャスター取付板に装着されたキャスターは、操作レバーの下方への回動で主脚よりも下方の接地位置に移動することを要旨とするものである。
【００２０】
請求項２記載の本発明によれば、操作レバーを下方に押すだけで回動し、操作レバーの回動が連結アームを介してキャスター取付板に伝達されてキャスターが接地位置まで下降する。
【００２１】
請求項３記載の本発明は、キャスターを接地位置で係止するストッパーを操作レバーに形成したことを要旨とするものである。
【００２２】
請求項３記載の本発明によれば、キャスターが接地位置まで下降すれば、操作レバーはそれ以上の回動が阻止されるから、キャスターを接地位置に係止できる。
【発明の効果】
【００２３】
以上述べたように本発明の可搬式作業台の移動装置は、各主脚にそれぞれキャスターを独立させて取付けたから、キャスターが梯子状の主脚の内側に入ることが無く、移動時に転倒のおそれもなく安定状態で移動できる。また、例えば梯子状の主脚間に天板を掛け渡した可搬式作業台をそのままの組立状態で移動する場合のように、必要時にのみ主脚に簡単に取付けられるから、不使用時にキャスターが邪魔になることがない。
【００２４】
移動装置に従来のような二重管構造による伸縮機構を設けずにすむから全体重量も特に大幅に増加することなくキャスターの出し入れの取扱いもレバー操作でワンタッチ的におこなうことができ容易で使い勝手のよいものである。
【発明を実施するための最良の形態】
【００２５】
以下、図面について本発明の実施形態を詳細に説明する。図１は本発明の可搬式作業台の移動装置の実施形態を示す不使用時の側面図、図２は同上使用時の側面図で、本発明の移動装置が使用される可搬式作業台の構成は例えば図６、図７ついて既に説明したとおりであるから、ここでの詳細な説明は省略する。
【００２６】
本発明の移動装置は、例えば図７に示すような、少なくとも一対の脚立形状の作業台１１の上部にそれぞれ配置される踏板ユニット６間に連結板１２を着脱自在に掛け渡したものに取付けられるものであり、主脚１の下部に延長脚５が取付けられている場合は、この延長脚５に取付けられるもので、主脚１の下部または延長脚５には、主脚１を傾けることで接地する移動用の車輪１０が固定的に取付けてある。
【００２７】
移動装置は、基本構成として主脚１へ着脱自在に取付けられる取付部１３と、この取付部１３の上部に一端が回動自在に軸着される操作レバー１４と、前記取付部１３の下部に一端が回動自在に軸着されるキャスター取付板１５と、操作レバー１４とキャスター取付板１５とを連結する連結アーム２３と、取付部１３と操作レバー１４との軸着部１６とキャスター取付板１５との間に弾装される圧縮コイルバネ２０とで構成する。
【００２８】
前記取付部１３は、一例として図１、図２に示すように短尺なチャンネル状の取付部材１３ａと長尺なチャンネル状の取付部材１３ｂとを背中合わせに結合したもので、短尺な取付部材１３ａの開口部を主脚１に嵌合し、ボルトなどで取付ける。
【００２９】
この状態で長尺な取付部材１３ｂが開口部が主脚１とは反対側に向いて主脚に取付けられる。
【００３０】
この長尺な取付部材１３ｂの上部に操作レバー１４の一端を上下方向に回動自在に軸着する。操作レバー１４は側面Ｌ字形のチャンネル部材で形成し、Ｌ字形の角部の近傍に切欠きによるストッパー１４ａを形成した。
【００３１】
長尺な取付部材１３ｂの下部はキャスター２１が下降するときにその移動を妨げないように斜めの切欠き部２２に形成した。
【００３２】
この長尺な取付部材１３ｂの下部にキャスター２１のキャスター取付板１５の一端を上下方向に回動自在に連結し軸着部１８とする。
【００３３】
そして、Ｌ字形の操作レバー１４の角部とキャスター取付板１５の上部とを連結アーム２３で回動自在に連結し、操作レバー１４との連結部を軸着部１７ａ、キャスター取付板１５との連結部を軸着部１７ｂとする。
【００３４】
さらに、一端を前記軸着部１６に取付けた圧縮コイルバネ２０の他端を前記軸着部１７ｂと軸着部１８との中間に結合し、これを軸着部１９とする。これにより、この圧縮コイルバネ２０の弾力によって操作レバー１４とキャスター取付板１５とは上方に引っ張られるように付勢される。
【００３５】
次に動作について説明する。移動装置を使用しない場合は、主脚１に取付けておかない。使用時に主脚１に短尺な取付部材１３ａをはめ込んでボルトで固定する。この状態では圧縮コイルバネ２０の弾力で図１に示すように操作レバー１４とキャスター取付板１５とが引上げられ、キャスター２１は接地面から浮いた位置にある。
【００３６】
この状態からキャスター２１を使用して可搬式作業台を移動するには、操作レバー１４を圧縮コイルバネ２０の弾力に抗して下方に押せば、軸着部１６を中心にして操作レバー１４が下方に回動し、軸着部１７ａを介して連結アーム２３が下方に押され、連結アーム２３の回動が軸着部１７ｂを介してキャスター取付板１５に伝達され、キャスター取付板１５も軸着部１８を中心軸にして下方に回動してキャスター２１が接地位置の方向に移動する。
【００３７】
操作レバー１４、連結アーム２３およびキャスター取付板１５の下降により圧縮コイルバネ２０は付勢方向に反して伸張するが、軸着部１６、１７ａ、１７ｂが一直線上に位置した後、図２に示すように軸着部１６と軸着部１７ｂとを結ぶ線上よりも内側（図１においては左側）に軸着部１７ａが位置する箇所すなわち接地位置まで連結アーム２３および操作レバー１４が回動すると、連結アーム２３が操作レバー１４に形成してあるストッパー１４ａに当接して操作レバー１４のそれ以上の下方への回動が阻止され、操作レバー１４、連結アーム２３およびキャスター取付板１５はこの接地位置に係止される。
【００３８】
この接地位置では、操作レバー１４、連結アーム２３およびキャスター取付板１５に対して圧縮コイルバネ２０の圧縮力はなお作用するが、前記のように軸着部１６と軸着部１７ｂとを結ぶ線上よりも内側（図１においては左側）に軸着部１７ａが位置しているから、圧縮力によりキャスター取付板１５に対してこれを引上げる方向に力が加わっても連結アーム２３の途中が操作レバー１４に形成したストッパー１４ａの箇所に係止して連結アーム２３の引上げ方向への移動が阻止される。
【００３９】
これによりキャスター２１は接地位置に固定される。よって、全ての主脚１に前記のようにして移動装置を取付けたならば、梯子状の作業台に天板を取付けた使用状態のままで可搬式作業台の全体を容易に移動できる。
【００４０】
移動装置を外すには、前記と反対の操作で操作レバー１４を引上げれば、キャスター２１が接地位置から浮上するから、この状態にして取付部材１３ａを主脚１から外せばよい。
【００４１】
移動装置を主脚１に取付けるための取付部１３の構成としては、前記した構造に限定されるものではなく、図３〜図５に示すワンタッチ式の取付金具２４を使用することもできる。
【００４２】
これは平面コ字形の金具本体２４ａの一端に操作レバー２４ｂを回動自在に取付け、この操作レバー２４ｂに係止片２４ｃを取付けたものである。
【００４３】
この取付金具２４を使用して移動装置を主脚１に取付けるには、係止片２４ｃを外側に開いた状態で図４に示すように金具本体２４ａを主脚１に対して側部から嵌めこみ、次いで、図５に示すように操作レバー２４ｂを回動して係止片２４ｃで金具本体２４ａの開口を閉塞する。
【図面の簡単な説明】
【００４４】
【図１】本発明の可搬式作業台の移動装置の実施形態を示す正面図である非接地状態の側面図である。
【図２】本発明の可搬式作業台の移動装置の実施形態を示す接地状態の側面図である。
【図３】本発明の可搬式作業台の移動装置の実施形態を示す取付部の他の例を示す側面図である。
【図４】本発明の可搬式作業台の移動装置の実施形態を示す取付部の他の例を示す固定前の平面図である。
【図５】本発明の可搬式作業台の移動装置の実施形態を示す取付部の他の例を示す固定状態の平面図である。
【図６】脚立状の可搬式作業台の斜視図である。
【図７】天板を連結した可搬式作業台の斜視図である。
【符号の説明】
【００４５】
１  主脚                        ２  踏桟
３  梯子枠                      ４  手摺支柱
５  延長脚                      ６  踏板ユニット
８  手摺枠
９  手摺枠                      １０  車輪
１１  作業台                    １２  連結板
１３  取付部                    １３ａ  短尺な取付部材
１３ｂ  長尺な取付部材          １４  操作レバー
１４ａ  ストッパー              １５  キャスター取付板
１６  軸着部                    １７ａ  １７ｂ  軸着部
１８  軸着部                    １９  軸着部
２０  圧縮コイルバネ            ２１  キャスター
２２  切欠き部                  ２３  連結アーム
２４  取付金具                  ２４ａ  金具本体
２４ｂ  操作レバー              ２４ｃ  係止片
【図１】
2010270437.tif 000003
【図２】
2010270437.tif 000004
【図３】
2010270437.tif 000005
【図４】
2010270437.tif 000006
【図５】
2010270437.tif 000007
【図６】
2010270437.tif 000008
【図７】
2010270437.tif 000009